(57)【要約】  【課題】  音声データの周波数領域に基づいて視聴制限を設定することにより、容易に視聴制限の設定ができる記録媒体再生装置を提供することである。  【解決手段】  ＤＶＤを再生できる記録媒体再生装置１０は、所定の周波数を記憶するＥＥＰＲＯＭ１４と、この所定の周波数以上の音声データと該音声データに対応する画像データに替えて、所定のメッセージを出力するように制御する制御部１３とを備え、前記所定の周波数が２ｋＨｚに設定される構成とする。【選択図】      図１
2005085368.tif 000002
【特許請求の範囲】
【請求項１】
ＤＶＤを再生できる記録媒体再生装置において、
所定の周波数を記憶するＥＥＰＲＯＭと、
前記所定の周波数以上の音声データと該音声データに対応する画像データに替えて、所
定のメッセージを出力するように制御する制御部とを備え、
前記所定の周波数が２ｋＨｚに設定されることを特徴とする記録媒体再生装置。
【請求項２】
画像データ及び音声データが記録された記録媒体を再生する記録媒体再生装置において
、
所定の周波数を記憶する記憶部と、
前記所定の周波数以上の音声データと該音声データに対応する画像データとを出力しな
いように視聴制限する制御部とを備えたことを特徴とする記録媒体再生装置。
【請求項３】
前記制御部は、前記記録媒体の前記所定の周波数以上の音声データと該音声データに対
応する画像データに替えて、所定のメッセージを出力することを特徴とする請求項２記載
の記録媒体再生装置。
【請求項４】
前記所定の周波数が２ｋＨｚであることを特徴とする請求項２又は３記載の記録媒体再
生装置。
【発明の詳細な説明】
【技術分野】
【０００１】
本発明は、画像と音声を再生するＤＶＤプレーヤ等の記録媒体再生装置に関するもので
ある。
【背景技術】
【０００２】
ＤＶＤ（Digital Versatile Disc）にはパレンタルロックと呼ばれる機能を設けたもの
がある。これは子供に見せたくないシーンをカットするか、あらかじめ用意した別の素材
に自動的に差し替え、シームレスな再生をする機能である。例えば、過激な暴力、恋愛シ
ーンを、最初からそのような作品であったかのような無難なシーンに差し替えることがで
きる。
【０００３】
視聴制限レベルの設定は、世界各国の体系に対応するため、８段階まで可能であり各国
のルール通りに使用される。使用される段階でどの映像が再生されるかは、予めＤＶＤ側
で設定されている。
【０００４】
親が本来のシーンを見る時は、リモコンなどの隠しボタンを押すか、複数のボタンを同
時に押すなどして設定画面を呼び出し、パスワードを入力することで再生するという方法
が考えられる。その際のパスワードは、ハード側で設定や変更が可能である。
【０００５】
このパレンタルロックは、ＤＶＤに予め登録されているものを基準としているため、ユ
ーザはＤＶＤの制作者が設定した視聴制限レベルをそのまま受け入れるしかない。しかし
、制作者側は販売戦略などの理由により、視聴制限レベルを低く設定したり、或いは視聴
制限をかけない場合がほとんどである。この事情により、所定の内容のＤＶＤについて視
聴制限を行うという考えは実質的に機能していない状況である。
【０００６】
そこで特許文献１は、上記のパレンタルロックを用いて視聴制限シーンに相応しい視聴
制限レベルを自らの判断で設定可能とする記録媒体再生装置を提案している。また、特許
文献２では、ＤＶＤのタイトルとラベルに対応して視聴制限レベルを設定可能としている
。
【特許文献１】特開２００１−４３６３０号公報
【特許文献２】特開２０００−２８７１５５号公報
【発明の開示】
【発明が解決しようとする課題】
【０００７】
しかしながら、特許文献１では予め視聴制限がかかる部分がディスクに書き込まれてお
り変更することはできない。また、パレンタルロックが設定されていないディスクには適
用することができない。特許文献２ではＤＶＤのタイトル又はラベル単位で視聴制限を設
定するので個々のソフト（タイトル又はラベルを含む）別にそれぞれ設定しなければなら
ない。
【０００８】
本発明は、音声データの周波数領域に基づいて視聴制限を設定することにより、容易に
視聴制限の設定ができる記録媒体再生装置を提供することを目的とする。
【課題を解決するための手段】
【０００９】
上記目的を達成するために本発明は、画像データ及び音声データが記録された記録媒体
を再生する記録媒体再生装置において、所定の周波数を記憶する記憶部と、前記所定の周
波数以上の音声データと該音声データに対応する画像データとを出力しないように視聴制
限する制御部とを備えたことを特徴とする。
【００１０】
なお、前記制御部は、前記記録媒体の前記所定の周波数以上の音声データと該音声デー
タに対応する画像データに替えて、所定のメッセージを出力するようにしてもよい。
【００１１】
また、人が聞こえる周波数は１５ｋＨｚまでであり、通常の会話は１ｋＨｚ未満である
ことから、前記所定の周波数は２ｋＨｚであることが好ましい。
【００１２】
また本発明は、ＤＶＤを再生できる記録媒体再生装置において、所定の周波数を記憶す
るＥＥＰＲＯＭと、前記所定の周波数以上の音声データと該音声データに対応する画像デ
ータに替えて、所定のメッセージを出力するように制御する制御部とを備え、前記所定の
周波数が２ｋＨｚに設定されることを特徴とする。
【発明の効果】
【００１３】
本発明によれば、音声の周波数に基づいて視聴制限を行うことにより、パレンタルロッ
クが設けられていないディスクでも視聴制限することができ、また、個々のソフト毎に視
聴制限をかけるシーンを選択しなくても容易に視聴制限の設定ができる。
【発明を実施するための最良の形態】
【００１４】
図１は、ＤＶＤプレーヤの構成を示すブロック図である。ＤＶＤプレーヤ１０は、ＤＶ
Ｄにデジタル記録された画像データをデータ・ビット・ストリームとして読み出すＣＤド
ライブ１１と、読み出されたデータ・ビット・ストリームから圧縮変換前の画像データと
音声データとを復元して画像と音声を再生するデコーダ１２と、ＤＶＤプレーヤ１０全体
の動作を制御する制御部１３と、視聴制限の基準となる所定の周波数を格納するＥＥＰＲ
ＯＭ１４と、ユーザがＤＶＤプレーヤ１０に対する操作指示を入力するリモコン１５と、
リモコン１５からの赤外線の明滅信号による操作指示を入力する受光回路１６と、同様の
操作指示をＤＶＤプレーヤ１０側にて実施可能な操作パネル１７とから構成されている。
【００１５】
このＣＤドライブ１１は、フォーカスサーボ（不図示）等に対して制御信号を送出する
ことにより光ピックアップ１８を所定位置に駆動させるサーボ信号処理部１９と、光ピッ
クアップ１８からの読み取り信号を増幅して所定の制御信号を生成するＲＦアンプ２０と
、増幅された信号の中から記録されているデジタルデータを復元してデータ・ビット・ス
トリームに変換して出力するＣＤ信号処理部２１とから構成されている。
【００１６】
そして、制御部１３による制御のもとでこれらが相互に作動し、ＤＶＤに記録されたデ
ータ・ビット・ストリームをデコーダ１２に出力可能となっている。デコーダ１２はデー
タ・ビット・ストリームをビデオ成分とオーディオ成分とに分離するとともにＭＰＥＧ復
調し、ビデオ信号と音声信号とに復元しつつそれらを同期させて出力する。
【００１７】
制御部１３の内部には演算処理の主体となるＣＰＵとともに、所定の制御プログラムが
記録されたＲＯＭやワークエリアなどとして利用されるＲＡＭが備えられているとともに
、外部機器を制御するための制御回路が備えられている。この制御部１３による制御のも
とで上述したようにＣＤドライブ１１やデコーダ１２が画像及び音声を再生する。
【００１８】
また、制御部１３に接続された操作パネル１７には、複数のキーが設けられており、そ
の中に視聴制限する周波数の値を上下させるレベル調整キー１７ｂと、レベル調整した値
に設定する視聴制限設定キー１７ｂと、設定された視聴制限を有効にするか否かを切り換
えるＯＮ／ＯＦＦキー１７ｃとが備えられている。
【００１９】
レベル調整キー１７ａにより所望の周波数が選択され、視聴制限設定キー１７ｂが押下
されると、制御部１３によりＥＥＰＲＯＭ１４にその周波数が格納される。そして、ＯＮ
／ＯＦＦキー１７ｃがＯＮであれば、ＥＥＰＲＯＭ１４に格納された周波数以上の場面を
再生せず、ＯＦＦであれば通常通り再生する。視聴制限する周波数の選択は、レベル調整
キー１７ａにより周波数の数値が上下するようにしてもよいし、いくつかのレベルから選
択できるようにしてもよい。なお、人が聞こえる周波数は１５ｋＨｚまでであり、通常の
会話は１ｋＨｚ未満である。従って、視聴制限する周波数の設定値を例えば２ｋＨｚとす
ることができる。
【００２０】
このような、各種キーはリモコン１５にも配設され、操作により同様の作用を構成する
。また、これらの操作内容は、図示しないＯＳＤ回路により画像が再生されるディスプレ
イやスクリーン上に表示させてユーザに操作を促すようにしてもよい。
【００２１】
また、操作パネル１７やリモコン１５にテンキー（不図示）を設けてもよい。これによ
り、周波数の入力の際に直接数値を入力することができる。また、ＯＮ／ＯＦＦキー１７
ｃの操作を有効にするためのパスワードの入力を要求するようにしてもよい。また、ＯＮ
／ＯＦＦキー１７ｃは本体背面のディップスイッチとしてもよい。
【００２２】
図２は、ＤＶＤプレーヤ１０の再生処理の概要を示すフローチャートである。ユーザに
よりＤＶＤの再生が指示されると、まずステップＳ１０においてＯＮ／ＯＦＦキー１７ｃ
の設定状態を読み出し、ステップＳ１１へ進んでＯＮ又はＯＦＦを判別する。
【００２３】
ステップＳ１１においてＯＮである場合は、ステップＳ１２へ進んでＥＥＰＲＯＭ１４
から視聴制限に関する周波数を読み出し、ステップＳ１３へ進む。一方、ステップＳ１１
においてＯＦＦである場合は、ステップＳ１６へ進んで通常再生を行う。
【００２４】
ステップＳ１２からステップＳ１３へ進んで所定量のＤＶＤデータ（画像データ、音声
データ、字幕データ）を取得し、ステップＳ１４へ進んで音声データにステップＳ１２で
読み出した所定の周波数（例えば、２ｋＨｚ）以上の音声が含まれているか否かを判別す
る。
【００２５】
ステップＳ１４において所定の周波数以上の音声が含まれる場合は、ステップＳ１５へ
進んで視聴制限処理を行う。一方、ステップＳ１４において所定の周波数以上の音声が含
まれない場合は、ステップＳ１６へ進んで通常再生を行う。そして、ステップＳ１５及び
ステップＳ１６の後はステップＳ１３に戻って次のＤＶＤデータを取得する。
【００２６】
ステップＳ１５の視聴制限処理は、制御部１３で、ＤＶＤの画像出力と音声出力をしな
いように制御したり、該当する場面を早送りしたりすることができる。その際、接続され
ているディスプレイには「ロック中」等のメッセージを表示するようにしてもよい。
【００２７】
ステップＳ１４の判定はセル単位で行うことにより視聴制限したい場面のみ視聴制限を
かけることができる。なお、セルより大きな単位で判定すると、所定の周波数を含む前後
の場面を含めて視聴制限することができる。
【００２８】
このように、音声の周波数に基づいて視聴制限を行うことにより、パレンタルロックが
設けられていないディスクでも視聴制限することができ、また、個々のディスク毎に視聴
制限をかけるシーンを選択しなくても容易に視聴制限の設定ができる。
【産業上の利用可能性】
【００２９】
本発明の記録媒体再生装置は、ＤＶＤプレーヤ等の光ディスク再生装置をはじめ、ビデ
オテーププレーヤやハードディスクレコーダなど、画像と音声を再生する装置に利用する
ことができる。
【図面の簡単な説明】
【００３０】
【図１】本発明のＤＶＤプレーヤの構成を示すブロック図である。
【図２】本発明のＤＶＤプレーヤの再生処理の概要を示すフローチャートである。
【符号の説明】
【００３１】
１０    ＤＶＤプレーヤ（記録媒体再生装置）
１３    制御部
１４    ＥＥＰＲＯＭ
【図１】
2005085368.tif 000003
【図２】
2005085368.tif 000004